(57)【要約】【課題】変化に富んだ装飾効果を上げることができる化粧用ブラシを提供する。【解決手段】筆穂２と、束ねた筆穂２の根元を固定する口具３と、口具３に差込んで取付けられる筆軸４よりなり、該筆軸４は、アクリル樹脂で形成されて口具３への差込口側を開口した有底の筒状をなし、内部にはビーズ状の着色した装飾物５が多数入れられている。【選択図】図１
0003145104.tif 000002
【実用新案登録請求の範囲】
【請求項１】
筆毛を束ねた筆穂を筆軸の先端に直接取付けるか、或いは口具を用いて取付けた化粧ブラシ等において、筆軸の少なくとも一部を透明又は半透明な合成樹脂やガラス製として内部を中空状とし、中空内部に粒状又は粉状のカラフルな装飾物を入れたことを特徴とする化粧ブラシ等。
【請求項２】
中空内部に粒状又は粉状の装飾物を入れる代りに模様、文字、ロゴ等を表示する装飾体を中空内部に入れたことを特徴とする請求項１記載の化粧ブラシ等。
【請求項３】
装飾体が模様、文字、ロゴ等を表示したテープ、紙片又は金属、木、硬質樹脂製の細長いプレートであることを特徴とする請求項１記載の化粧ブラシ等。
【請求項４】
筆軸が口具に取外し可能に取付けられるか、或いは筆軸端に該軸端を塞ぐ蓋が取外し可能に取付けられることを特徴とする請求項１記載の化粧ブラシ等。
【考案の詳細な説明】
【技術分野】
【０００１】
本考案は、毛筆、画筆或いはフェイスブラシ、アイシャドウブラシ、リップブラシなどの化粧ブラシ（本発明では、これら毛筆、画筆、化粧ブラシを総称して単に化粧ブラシ等という）に関する。
【背景技術】
【０００２】
化粧ブラシ等は一般に、筆毛を束ねた筆穂を筆軸の先端に直接取付けるか、或いは環状の口具を用いて筆軸の先端に取付けた構造をなしており、筆軸に木目や模様或いは商品名、製造者名、ロゴ等を印刷したり刻印したものも知られる。
【考案の開示】
【考案が解決しようとする課題】
【０００３】
本考案は、筆軸の装飾効果を高めた化粧ブラシ等を提供することを第１の目的とし、顧客において装飾効果を簡易に変えることができるような化粧ブラシ等を提供することを第２の目的とする。
【課題を解決するための手段】
【０００４】
請求項１に係る考案は、第１の目的を達成する化粧ブラシ等に関するもので、筆毛を束ねた筆穂を筆軸の先端に直接取付けるか、或いは口具を用いて取付けた化粧ブラシ等において、筆軸の少なくとも一部を透明又は半透明な合成樹脂やガラス製として内部を中空状とし、中空内部に粒状又は粉状のカラフルな装飾物を入れたことを特徴とする。
【０００５】
請求項２に係る考案は、請求項１に係る考案において、中空内部に粒状又は粉状の装飾物を入れる代りに模様、文字、ロゴ等を表示する装飾体を中空内部に入れたことを特徴とし、
請求項３に係る考案は、装飾体が模様、文字、ロゴ等を表示したテープ、紙片又は金属、木、硬質樹脂製の細長いプレートであることを特徴とする。
【０００６】
請求項４に係る考案は、第２の目的を達成する化粧ブラシ等に関するもので、請求項１〜３に係る考案において、筆軸が口具に取外し可能に取付けられるか、或いは筆軸端に該軸端を塞ぐ蓋が取外し可能に取付けられることを特徴とする。
【考案の効果】
【０００７】
請求項１に係る考案によると、筆軸を傾けたり、揺らしたりして動かすことにより装飾物が筆軸内を転がり、ときには向きを変えたり、混ざり合うようになって、それを透明又は半透明な筆軸を通して見ることにより変化に富んだ装飾効果を上げることができる。
請求項２に係る考案によると、筆軸を通して装飾体の模様、文字、ロゴ等を見ることができる。
【０００８】
本考案の装飾体としては、請求項３に係る考案のように、模様、文字、ロゴ等を表示したテープ、紙片或いは細長いプレートのほか、例えば筆軸の中空部に装填される芯材の周面に巻付けられ、模様、文字、ロゴ等を表示したテープを用いることができる。
【０００９】
請求項３に係る考案によると、筆軸を傾けたり揺らすことにより、テープ、紙片或いは細長いプレートが向きを変えたり動いたり、或いは変形したりして変化に富んだ装飾効果を上げることができる。
【００１０】
請求項４に係る考案によると、筆軸を口具から取外し、或いは筆軸端の蓋を取外して筆軸内の装飾物或いは装飾体を入れ換えることにより、装飾効果を自由に変えることができる。
【考案を実施するための最良の形態】
【００１１】
以下、本考案の実施形態の化粧ブラシ等について図面により説明する。
図１は、化粧ブラシ等としてのフェイスブラシ１を示すもので、筆穂２と、束ねた筆穂２の根元を固定する口具３と、口具３に差込んで取付けられる筆軸４よりなり、該筆軸４は、透明材料、例えばアクリル樹脂で形成されて金属又は硬質樹脂製の口具３への差込口側を開口した有底の筒状をなし、内部にはビーズ状の着色した装飾物５（この装飾物５の材質は樹脂製であってもガラス製であっても、またセラミックや金属製であってもよい）が多数入れられている。
【００１２】
本実施形態のフェイスブラシ１によると、筆軸４を手にとって傾けたり、揺らしたりして動かすことにより、筆軸４を通して視認される装飾物５の転がり具合や向きの変化、混ざり合い等による変化に富んだ装飾効果を上げることができる。
【００１３】
この装飾物５は、図示するようにサイズが揃っていてもよいが、異なっていてもよい。
装飾物５はまた、筆軸４を口具３より取外したのち他の任意の装飾物、例えば着色したパウダー、パウダーと粒状物の混合物等或いは模様、製造社名、所有者名、使用者名等の文字、ロゴ等を表示したテープや紙片或いは細長いプレートと入れ換えることにより、顧客において装飾効果を自由に変えることができる。
【００１４】
図２は、図１に示すフェイスブラシ１の筆軸４内に製造社名とロゴを印刷により或いは手書きにより表示した着色テープ又は製造者名とロゴを印刷又は刻印した金属製の細長いプレート７を入れたもので、入れられるテープ又はプレートは、単数であっても複数であってもよい。複数の場合、各テープ又はプレートには、同じ文字、模様、ロゴ等を表示してもよいし、異なった文字、模様、ロゴ等を表示してもよい。
【００１５】
図３は、化粧ブラシ等としてのリップブラシ１１を示すもので、筆穂１２と、束ねた筆穂１２の根元を固定する金属又は硬質樹脂製の口具１３と、該口具１３に差込んで取付けられる筆軸１４よりなり、筆軸１４は透明材料、例えばアクリル樹脂で形成されて口具１３への差込側を開口した有底の筒状体１５と、該筒状体１５に抜き差し可能に差込んで取付けられる、材質が例えば金属製であるキャップ状筒状体１６とで構成され、前者の筒状体１５には、内部に上述するような装飾物、例えばビーズ状の着色した装飾物１７が多数入れられている。また後者の筒状体１６は筒状体１５より取外して筆穂側から口具１３に差込んで取付け、筆穂を覆うキャップとして使用することができるようになっている。
【００１６】
本実施形態のリップブラシ１１においても筒状体１５に封入された装飾物１６により、前記実施形態のフェイスブラシ１と同様の装飾効果を上げることができる。
【００１７】
図４に示すリップブラシ２１は、図２に示すリップブラシ１１よりも筒状体１５を短く、装飾体１６を長く形成すると共に、ビーズ状の装飾物に代えて図４に示すように筒状体内に納まる軸２２の周面に周方向に数色に区分、例えば赤２３ａ、青２３ｂ、白２３ｃの三色のゾーンに区分けされたテープ２３を巻き付けた装飾体２４を筒状体１５に密着状態で装填してなるものである。
【００１８】
本実施形態のブラシ２１によると、筒状体１５を通して装飾体２４の装飾模様を見ることができ、テープ２３を別の装飾模様のテープに取換えることで、別の装飾効果を上げることができる。
【００１９】
図６に示すリップブラシ３１は、束ねた筆穂３２の根元を固定する金属又は硬質樹脂製の口具３３と、該口具３３に差込んで取付けられる透明材料、例えばアクリル樹脂で形成される筒状の筆軸３４と、該筆軸端に着脱可能に嵌着されて筆軸端を塞ぐ蓋３５とで構成され、筆軸３４にはビーズ状の着色した装飾物３６が入れられている。
【００２０】
本実施形態のリップブラシ３１によると、蓋３５を取外して装飾物３６を他の装飾物や装飾体に入れ換えることで、顧客において自由に装飾効果を変えることができる。
前記各実施形態では、フェイスブラシ、リップブラシ等の化粧ブラシに適用した例を示したが、毛筆や画筆においても筆軸を前記実施形態の筆軸と同様に構成することにより同様の効果をあげることができる。
【図面の簡単な説明】
【００２１】
【図１】フェイスブラシの正面図。
【図２】装飾物を変えたフェイスブラシの正面図。
【図３】リップブラシの正面図。
【図４】リップブラシの別の態様の正面図。
【図５】図４に示すリップブラシに用いられる装飾体の斜視図。
【図６】リップブラシの更に別の態様の正面図。
【符号の説明】
【００２２】
１・・フェイスブラシ
２、１２、３２・・筆穂
３、１３、３３・・口具
４、１４、３４・・筆軸
５、１７、３６・・装飾物
７・・着色テープ
１１、２１、３１・・リップブラシ
１５、１６、２４・・筒状体
２２・・軸
２３・・テープ
３５・・蓋
【図１】
0003145104.tif 000003
【図２】
0003145104.tif 000004
【図３】
0003145104.tif 000005
【図４】
0003145104.tif 000006
【図５】
0003145104.tif 000007
【図６】
0003145104.tif 000008